(57)【特許請求の範囲】
【請求項１】
光源からの光を透過可能で一面側が照光領域となるシート状に形成された導光シートと
、
前記導光シートの他面側に漏れる光を反射する反射層と、を有し、
前記導光シートの側面に設けられた入光部から入った光が伝搬することで前記照光領域
を照光可能なライトガイドであって、
前記一面側から平面視した時に、前記照光領域は、前記導光シートを伝搬してきた光を
出光させる複数の照光パターンを備えた第１照光領域と、前記入光部に対向する対向側周
縁部に沿って帯状に位置する第２照光領域と、を有し、
前記第２照光領域は、前記第１照光領域の輝度との差異を調整する輝度補正部を備え、前記第１照光領域の前記照光パターンは、前記入光部側から前記第２照光領域側に向か
うにつれて徐々に大きくなる形状を備え、
前記第２照光領域の前記輝度補正部は、前記照光パターンに相似した形状に設けられた
複数の補正パターンからなり、
前記補正パターンは、前記第２照光領域の近傍に位置する前記照光パターンの最も大き
い形状のものより小さい形状を備えることを特徴とするライトガイド。
【請求項２】
前記補正パターンは、前記第２照光領域と前記第１照光領域との境界付近において、前
記第１照光領域側から前記対向側周縁部側に向かうにつれて徐々に小さくなる形状を備え
ることを特徴とする請求項１に記載のライトガイド。
【請求項３】
前記照光パターンは、前記導光シートの前記一面側に配置され、前記他面側に向かって
窪んだ凹形状を有することを特徴とする請求項１ないし請求項２のいずれかに記載のライ
トガイド。
【請求項４】
前記導光シートの前記他面側には、前記導光シートを固定するための支持層を有し、
前記支持層が、少なくとも前記対向側周縁部に沿って配置されているとともに、前記第
２照光領域と平面視で重なっていることを特徴とする請求項３に記載のライトガイド。
【請求項５】
前記支持層は、前記照光領域を照光する色調に応じて着色されていることを特徴とする
請求項４に記載のライトガイド。
【請求項６】
前記反射層は、前記支持層を介して前記導光シートに固定された反射シートであること
を特徴とする請求項４または請求項５に記載のライトガイド。
【請求項７】
請求項１ないし請求項６のいずれかに記載のライトガイドと、
前記入光部に光を入射可能とするように配置された光源と、を備えることを特徴とする
照光表示装置。
【発明の詳細な説明】
【技術分野】
【０００１】
本発明は、電子機器等の表示部を照光表示可能なライトガイドおよび照光表示装置に関する。
【背景技術】
【０００２】
各種電子機器や車載用の入力装置では、記号や図形等を表現する表示部が設けられ、発光ダイオードなどの光源から発せられる光を表示部に与えて照光できるライトガイドおよび照光表示装置が配置されている。
【０００３】
例えば、特許文献１には、表示体の切り替えが可能な照光表示装置が開示されている。図８は、特許文献１に記載された照光表示装置９００の３層からなる表示体の断面図である。
【０００４】
照光表示装置９００は、第１表示体９０３、第２表示体９０４、第３表示体９０５が積層されている。第１表示体９０３、第２表示体９０４、第３表示体９０５は、端部に光源９３１、９４１、９５１を備えた導光板９３２、９４２、９５２の裏面に、拡散印刷９３３、９４３、９５３と、拡散印刷９３３と導光板９３２の裏面を覆う透明層９３４と、拡散印刷９４３と導光板９４２の裏面を覆う透明層９４４と、が設けられている。そして、両面テープ９７３ａ、９７３ｂ、９７４ａ、９７４ｂ、９７５ａ、９７５ｂ、９７６ａ、９７６ｂが第１表示体９０３、第２表示体９０４、第３表示体９０５およびスモークフィルム９０６の間の外周部に配置されている。
【先行技術文献】
【特許文献】
【０００５】
【特許文献１】特開２０１４−０３２２６５号公報
【発明の概要】
【発明が解決しようとする課題】
【０００６】
しかしながら、従来の照光表示装置では、光源からの光を入射する端部（入光部）に対向する対向部側の端面で反射した光の影響等により、導光板（導光シート）の対向側周縁部に沿って輝度の不均一な領域が発生するという問題があった。これを回避するため、輝度の不均一な対向側周縁部を、導光シートに付加した遮光層で覆ったり、取り付けられる側の筐体で隠したりして、視認されない領域にしなければならないという課題があった。
【０００７】
本発明は、上述した課題を解決するもので、導光シートの入光部に対向する対向側周縁部も照光領域として使用することができるライトガイドおよび照光表示装置を提供することを目的とする。
【課題を解決するための手段】
【０００８】
本発明のライトガイドは、光源からの光を透過可能で一面側が照光領域となるシート状に形成された導光シートと
、
前記導光シートの他面側に漏れる光を反射する反射層と、を有し、
前記導光シートの側面に設けられた入光部から入った光が伝搬することで前記照光領域
を照光可能なライトガイドであって、
前記一面側から平面視した時に、前記照光領域は、前記導光シートを伝搬してきた光を
出光させる複数の照光パターンを備えた第１照光領域と、前記入光部に対向する対向側周
縁部に沿って帯状に位置する第２照光領域と、を有し、
前記第２照光領域は、前記第１照光領域の輝度との差異を調整する輝度補正部を備え、前記第１照光領域の前記照光パターンは、前記入光部側から前記第２照光領域側に向か
うにつれて徐々に大きくなる形状を備え、
前記第２照光領域の前記輝度補正部は、前記照光パターンに相似した形状に設けられた
複数の補正パターンからなり、
前記補正パターンは、前記第２照光領域の近傍に位置する前記照光パターンの最も大き
い形状のものより小さい形状を備えることを特徴とする。
【０００９】
この構成によれば、導光シートの入光部に対向する対向側周縁部に沿って帯状に位置す
る第２照光領域は輝度補正部を備えて、輝度補正部によって第１照光領域と第２照光領域
との輝度の差異が調整される。これにより、導光シートは、入光部に対向する対向側周縁部の近傍を隠すことなく照光領域として使用することができる。導光シートの入光部に対
向する対向側周縁部の近傍まで照光領域とすることによって、スペース効率が良く、小型
化できる。また、輝度補正部を第１照光領域の照光パターンの形状より小さい相似形
状の補正パターンとすることにより、第２照光領域を出光する光が減るので、第２照光領
域の輝度が強くなり過ぎないように調整することができる。また、輝度補正部を第１照光
領域の照光パターンと一括して形成できるので、第２照光領域を容易に設けることができ
る。
【００１２】
また、本発明のライトガイドは、前記補正パターンが、前記第２照光領域と前記第１照光領域との境界付近において、前記第１照光領域側から前記対向側周縁部側に向かうにつれて徐々に小さくなる形状を備えることを特徴とする。
【００１３】
この構成によれば、補正パターンの形状が徐々に変化するので、前記第１照光領域と前記第２照光領域との境界が視認されにくくなる。
【００１４】
また、本発明のライトガイドは、前記照光パターンが前記導光シートの前記一面側に配置され、前記他面側に向かって窪んだ凹形状を有することを特徴とする。
【００１５】
この構成によれば、導光シートを伝搬してきた光を効率的に出光させることができる。また、容易に形成することができる。
【００１６】
また、本発明のライトガイドは、前記導光シートの前記他面側に、前記導光シートを固定するための支持層を有し、前記支持層が、少なくとも前記対向側周縁部に沿って配置されているとともに、前記第２照光領域と平面視で重なっていることを特徴とする。
【００１７】
この構成によれば、輝度を不均一にする原因のひとつである支持層と平面視で重なるように第２照光領域を設けているので、対向側周縁部に沿って支持層を配置したことに起因する第１照光領域の輝度との差異を輝度補正部によって調整することができる。
【００１８】
また、本発明のライトガイドは、前記支持層が、前記照光領域を照光する色調に応じて着色されていることを特徴とする。
【００１９】
この構成によれば、光らせる光の色に合わせて支持層の色を変えることによって、第１照光領域との色調の差異を低減することができる。
【００２０】
また、本発明のライトガイドは、前記反射層が、前記支持層を介して前記導光シートに固定された反射シートであることを特徴とする。
【００２１】
この構成によれば、反射シートを用いることで、輝度を高めることができる。また、反射シートの色を変えることによって、色調の調整に使える。
【００２２】
また、本発明の照光表示装置は、上記のライトガイドと、前記入光部に光を入射可能とするように配置された光源と、を備えることを特徴とする。
【００２３】
この構成によれば、第１照光領域と対向側周縁部に沿った第２照光領域との輝度との差異を調整し対向側周縁部まで照光領域とするライトガイドを用いることによって、スペース効率が良く、小型化できる。
【発明の効果】
【００２４】
本発明によれば、導光シートの入光部に対向する対向側周縁部に沿って帯状に位置する第２照光領域は輝度補正部を備えて、輝度補正部によって第１照光領域と第２照光領域との輝度の差異が調整される。これにより、導光シートは、入光部に対向する対向側周縁部の近傍を隠すことなく照光領域として使用することができる。したがって、本発明のライトガイドは、対向側周縁部まで照光領域とすることによって、スペース効率が良く、小型化できる。また、本発明によれば、導光シートの入光部に対向する対向側周縁部も照光領域として使用することができる照光表示装置を提供することができる。
【図面の簡単な説明】
【００２５】
【図１】本発明の第１実施形態の照光表示装置およびライトガイドを示す外観図であり、図１（ａ）は平面図であり、図１（ｂ）は正面図である。
【図２】本発明の第１実施形態の照光表示装置およびライトガイドを示す分解斜視図である。
【図３】本発明の第１実施形態のライトガイドを示す模式平面図である。
【図４】図３のＩＶ−ＩＶ線で切断した模式断面図である。
【図５】比較例の照光表示装置およびライトガイドを示す分解斜視図である。
【図６】本発明の第２実施形態の照光表示装置およびライトガイドを示す分解斜視図である。
【図７】比較例の照光表示装置およびライトガイドを示す分解斜視図である。
【図８】従来の照光表示装置の３層からなる表示体の断面図である。
【発明を実施するための形態】
【００２６】
以下、本発明の実施の形態について図面を用いて詳細に説明する。なお、分かりやすいように、図面は寸法を適宜変更している。
【００２７】
［第１実施形態］
図１は、本発明の第１実施形態の照光表示装置１００およびライトガイド１を示す外観図であり、図１（ａ）は平面図であり、図１（ｂ）は正面図である。図２は、照光表示装置１００およびライトガイド１を示す分解斜視図である。図３は、本発明の第１実施形態のライトガイド１を示す模式平面図である。図４は、図３のＩＶ−ＩＶ線で切断した模式断面図である。なお、Ｚ１−Ｚ２方向の寸法を拡大して分かりやすく表示している。
【００２８】
本実施形態の照光表示装置１００は、図１および図２に示すように、ライトガイド１と、光源６０と、基台７０とを備えている。本実施形態のライトガイド１は、シート状に形成された導光シート２０と、導光シート２０を固定するための支持層３０と、反射シート４１とを有している。
【００２９】
導光シート２０は、透明又は半透明の透光性の合成樹脂シートであり、略長方形の平板状に設けられている。導光シート２０は、例えば、ポリカーボネートやアクリル等の合成樹脂材料で形成することができる。導光シート２０には、後述するように複数の照光パターン２１および複数の補正パターン２３が形成されているが、図１および図２では具体的な形状を省略している。
【００３０】
支持層３０は、図２に示すように、導光シート２０の外形と略同一の外形を有し、中央部分に開口部３０ａを有する枠状に設けられている。支持層３０は、透明又は半透明の透光性の合成樹脂シートからなるベースフィルムの両面に粘着材を備えた両面接着テープで構成されている。なお、特定の色調となるように、支持層３０が着色されていてもよい。支持層３０を着色するためには、透明又は半透明の透光性の合成樹脂シートに、スクリーン印刷等の手法を用いて、例えば着色用の顔料を含むインクを印刷し、このインクを硬化させることによりベースフィルムを形成する。
【００３１】
反射シート４１は、導光シート２０の他面２０ｂ側に漏れる光を反射する反射層４０として機能している。反射シート４１は、合成樹脂シート（例えば、ＰＥＴ等）で構成されている。反射シート４１としては、例えば、白色の合成樹脂シートを用いることができる。また、透明又は半透明の透光性の合成樹脂シートに、スクリーン印刷等の手法を用いて、例えば二酸化チタンの粉末が含有されて光散乱性を有するインク（白色インク）を印刷し、このインクを硬化させることにより形成してもよい。なお、支持層３０と同様にして着色して反射シート４１の色を変えることによって、色調を調整してもよい。
【００３２】
光源６０は、ＬＥＤ（発光ダイオード）で構成され、発光部６１から光が射出される。光源６０は、図示しない接続電極部が露出し、半田等による接続が可能である。
【００３３】
基台７０は、プリント配線基板で構成されている。基台７０には、図示しない配線が形成されており、光源６０の接続電極部に半田等によって接続されている。また、図示しないコネクタ部が設けられており、配線を介して外部の電源回路から光源６０に電力を供給可能になっている。なお、基台７０には、図示しない固定部材によってライトガイド１が取り付けられ、光源６０に対して位置ずれしないように固定される。
【００３４】
本実施形態の照光表示装置１００およびライトガイド１は、以下に詳述するように、光源６０からの光を透過可能な導光シート２０のＺ１側の一面２０ａ側が照光領域１０ａである。図１〜図４では、導光シート２０のＸ１側の側面に入光部２０ｃが設けられており、光源６０に対向する入光部２０ｃから入った光が一面２０ａおよび他面２０ｂで反射しながら導光シート２０内を伝搬することで、照光領域１０ａを照光可能となっている。ここで、照光領域１０ａは、入光部２０ｃに対向する対向側周縁部２０ｄに沿って帯状に位置する第２照光領域１０ｃと、第２照光領域１０ｃの境界位置から入光部２０ｃ側にかけて位置する第１照光領域１０ｂとに区分することができる。照光領域１０ａには、第１照光領域１０ｂおよび第２照光領域１０ｃを区分するように、複数の照光パターン２１および複数の補正パターン２３が形成されている。なお、図１および図２で省略した複数の照光パターン２１および複数の補正パターン２３の具体的形状について、図３では、その一部を拡大して模式的に示している。また、図４では、補正パターン２３の特徴がより分かりやすくなるように、断面視での形状を模式的に示している。
【００３５】
複数の照光パターン２１は、導光シート２０を伝搬してきた光を一面２０ａ側に出光させるために、導光シート２０の一面２０ａ側に配置されている。照光パターン２１は、それぞれ、他面２０ｂ側に向かって窪んだ凹形状を有し、照光領域１０ａの第１照光領域１０ｂに設けられている。第１照光領域１０ｂの照光パターン２１は、入光部２０ｃから入った光が伝搬してくるＸ１側からＸ２側に向かうにつれて徐々に大きくなる形状（深さと面積が大きくなる相似形状）を備えている。なお、照光パターン２１は、図３および図４に示す形状に限るものでなく、導光シート２０を伝搬してきた光が効率良く出光可能な形状であればよい。
【００３６】
複数の補正パターン２３は、照光領域１０ａの第２照光領域１０ｃに設けられ、第１照光領域１０ｂの照光パターン２１と同様、導光シート２０を伝搬してきた光を一面２０ａ側に出光させるために、導光シート２０の一面２０ａ側に配置されている。補正パターン２３は、照光パターン２１に相似した形状に設けられ、第２照光領域１０ｃの近傍に位置する照光パターン２１の最も大きい形状のものより小さい形状を備えている。補正パターン２３は、さらに、第２照光領域１０ｃと第１照光領域１０ｂとの境界付近において、第１照光領域１０ｂ側から対向側周縁部２０ｄ側に向かうにつれて徐々に小さくなる形状（深さと面積が小さくなる相似形状）を備えている。
【００３７】
次に、比較例として、本実施形態の照光表示装置１００およびライトガイド１の構成を備えていなかった場合について説明する。図７は、比較例の照光表示装置およびライトガイドを示す分解斜視図である。
【００３８】
比較例の照光表示装置８００およびライトガイド８０１は、図７に示すように、支持層８３０と平面視で重なるように、遮光膜８１１が設けられている。遮光膜８１１は、例えば、スクリーン印刷等の手法を用いて、導光シート８２０に遮光性を有するインク（黒色インク等）を印刷し、このインクを硬化させることにより形成される。なお、支持層８３０、反射シート８４１、光源８６０、基台８７０は、照光表示装置１００およびライトガイド１の支持層３０、反射シート４１、光源６０、基台７０と同じである。導光シート８２０は、照光表示装置１００およびライトガイド１の照光パターン２１と同様のものが照光領域８１０ａに形成されたものである。
【００３９】
遮光膜８１１が設けられているため、ライトガイド８０１の照光領域８１０ａは遮光膜８１１に重ならない内側領域（支持層８３０の開口部８３０ａと平面視で重なる領域）に限定されている。したがって、照光領域８１０ａは、入光部８２０ｃに対向する対向側周縁部８２０ｄから離れた位置になってしまうために、例えば、被取り付け部が電子機器等の縁である場合、この縁の直近まで照光することができなくなっていた。
【００４０】
一方、比較例の照光表示装置８００において、遮光膜８１１が設けられていない場合には、照光表示装置１００およびライトガイド１の照光パターン２１と同様のものが対向側周縁部８２０ｄまで連続して形成される。この場合、導光シート８２０内を対向側周縁部８２０ｄで反射した光の一部が対向側周縁部８２０ｄの近傍で出光する。このため、対向側周縁部８２０ｄに沿って相対的に明るく光る領域を生じる。なお、対向側周縁部８２０ｄでの反射を少なくすれば（すなわち、光の透過ロスを多くすれば）照光ムラを減らすことも可能であるが、照光領域８１０ａの照度が低下してしまう。さらに、平面視で支持層８３０の配置されている領域とその内側の領域では、導光シート８２０内を伝搬した光の反射が異なるので、開口部８３０ａの縁に対応する平面位置に沿って、筋状に明るさが異なることがあった。
【００４１】
本実施形態の照光表示装置１００およびライトガイド１の構成では、以下のようにして、入光部２０ｃに対向する対向側周縁部２０ｄに沿った第２照光領域１０ｃの輝度を調整する。これにより、第１照光領域１０ｂと第２照光領域１０ｃとの輝度の差異が調整され、対向側周縁部２０ｄの近傍を隠すことなく照光領域１０ａとして使用することができる。
【００４２】
具体的には、支持層３０は、少なくとも対向側周縁部２０ｄに沿って配置され、照光領域１０ａの第２照光領域１０ｃと平面視で重なっている。第２照光領域１０ｃに設けられた複数の補正パターン２３は、第２照光領域１０ｃの近傍に位置する照光パターン２１の最も大きい形状のものより小さい形状に形成されている。補正パターン２３の形状によって出光の効率が変わるので、この大きさによって出光する量（明るさ）が調整されている。さらに、補正パターン２３は、第２照光領域１０ｃと第１照光領域１０ｂとの境界付近において、第１照光領域１０ｂ側から対向側周縁部２０ｄ側に向かうにつれて徐々に小さくなる形状を備えている。これらにより、第２照光領域１０ｃで出光する量（明るさ）が第１照光領域１０ｂ側と同じになるように調整され、開口部３０ａの縁に沿った境界が周囲と同じ明るさに近くなって、第１照光領域１０ｂと第２照光領域１０ｃとの境界が目立たなくなる。
【００４３】
なお、照光領域１０ａを照光する色調に応じて、支持層３０の色を変えてもよい。また、支持層３０の幅（対向側周縁部２０ｄと開口部３０ａの縁との間隔）が広い場合には、補正パターン２３が、第２照光領域１０ｃと第１照光領域１０ｂとの境界付近で第１照光領域１０ｂ側から対向側周縁部２０ｄ側に向かうにつれて小さくなってから、対向側周縁部２０ｄ側でほぼ一定の大きさとすることで最適化された。さらに、もっと支持層３０の幅が広い場合には、補正パターン２３を対向側周縁部２０ｄ側でほぼ一定の大きさとしてから、対向側周縁部２０ｄ近傍で少し大きくするほうが最適であった。
【００４４】
このように、第２照光領域１０ｃに設けられた複数の補正パターン２３は、第１照光領域１０ｂの輝度との差異を調整する機能を有している。言い換えれば、第２照光領域１０ｃは、第１照光領域１０ｂの輝度との差異を調整する輝度補正部２２を備える。
【００４５】
輝度補正部２２は、上述のように、照光パターン２１に相似した形状に設けられた複数の補正パターン２３に限定されるものでなく、照光パターン２１と異なる形状で設けることも可能である。
【００４６】
以下、第１実施形態の照光表示装置１００およびライトガイド１としたことによる効果について説明する。
【００４７】
第１実施形態のライトガイド１は、光源６０からの光を透過可能で一面２０ａ側が照光領域１０ａとなるシート状に形成された導光シート２０と、導光シート２０の他面２０ｂ側に漏れる光を反射する反射層４０と、を有している。導光シート２０の側面に設けられた入光部２０ｃから入った光が伝搬することで照光領域１０ａを照光可能となっている。そして、一面２０ａ側から平面視した時に、照光領域１０ａは、導光シート２０を伝搬してきた光を出光させる複数の照光パターン２１を備えた第１照光領域１０ｂと、入光部２０ｃに対向する対向側周縁部２０ｄに沿って帯状に位置する第２照光領域１０ｃと、を有し、第２照光領域１０ｃは、第１照光領域１０ｂの輝度との差異を調整する輝度補正部２２を備える。
【００４８】
この構成によれば、導光シート２０の入光部２０ｃに対向する対向側周縁部２０ｄに沿って帯状に位置する第２照光領域１０ｃは輝度補正部２２を備えて、輝度補正部２２によって第１照光領域１０ｂと第２照光領域１０ｃとの輝度の差異が調整される。これにより、導光シート２０は、入光部２０ｃに対向する対向側周縁部２０ｄの近傍を隠すことなく照光領域１０ａとして使用することができる。導光シート２０の入光部２０ｃに対向する対向側周縁部２０ｄの近傍まで照光領域１０ａとすることによって、スペース効率が良く、小型化できる。
【００４９】
また、第１照光領域１０ｂの照光パターン２１は、入光部２０ｃ側から第２照光領域１０ｃ側に向かうにつれて徐々に大きくなる形状を備え、第２照光領域１０ｃの輝度補正部２２は、照光パターン２１に相似した形状に設けられた複数の補正パターン２３からなる。そして、補正パターン２３は、第２照光領域１０ｃの近傍に位置する照光パターン２１の最も大きい形状のものより小さい形状を備える。
【００５０】
この構成によれば、輝度補正部２２を第１照光領域１０ｂの照光パターン２１の形状より小さい相似形状の補正パターン２３とすることにより、第２照光領域１０ｃを出光する光が減るので、第２照光領域１０ｃの輝度が強くなり過ぎないように調整することができる。また、輝度補正部２２を第１照光領域１０ｂの照光パターン２１と一括して形成できるので、第２照光領域１０ｃを容易に設けることができる。
【００５１】
また、補正パターン２３は、第２照光領域１０ｃと第１照光領域１０ｂとの境界付近において、第１照光領域１０ｂ側から対向側周縁部２０ｄ側に向かうにつれて徐々に小さくなる形状を備える。
【００５２】
この構成によれば、補正パターン２３の形状が徐々に変化するので、第１照光領域１０ｂと第２照光領域１０ｃとの境界が視認されにくくなる。
【００５３】
また、照光パターン２１は導光シート２０の一面２０ａ側に配置され、他面２０ｂ側に向かって窪んだ凹形状を有する。
【００５４】
この構成によれば、導光シート２０を伝搬してきた光を効率的に出光させることができる。また、導光シート２０を容易に形成することができる。
【００５５】
また、本実施形態のライトガイド１は、導光シート２０の他面２０ｂ側に、導光シート２０を固定するための支持層３０を有し、支持層３０が、少なくとも対向側周縁部２０ｄに沿って配置されているとともに、第２照光領域１０ｃと平面視で重なっていることを特徴とする。
【００５６】
この構成によれば、輝度を不均一にする原因のひとつである支持層３０と平面視で重なるように第２照光領域１０ｃが設けられているので、対向側周縁部２０ｄに沿って支持層３０を配置したことに起因する第１照光領域１０ｂの輝度との差異を輝度補正部２２によって調整することができる。
【００５７】
また、第１実施形態のライトガイド１は、支持層３０が、照光領域１０ａを照光する色調に応じて着色されていてもよい。
【００５８】
この構成によれば、光らせる光の色に合わせて支持層３０の色を変えることによって、第１照光領域１０ｂとの色調の差異を低減することができる。
【００５９】
また、第１実施形態のライトガイド１は、反射層４０が、支持層３０を介して導光シート２０に固定された反射シート４１であることを特徴とする。
【００６０】
この構成によれば、反射シート４１を用いることで、輝度を高めることができる。また、反射シート４１の色を変えることによって、色調の調整に使える。
【００６１】
また、第１実施形態の照光表示装置１００は、ライトガイド１と、入光部２０ｃに光を入射可能とするように配置された光源６０と、を備える。
【００６２】
この構成によれば、第１照光領域１０ｂと対向側周縁部２０ｄに沿った第２照光領域１０ｃとの輝度との差異を調整し対向側周縁部２０ｄまで照光領域１０ａとするライトガイド１を用いることによって、スペース効率が良く、小型化できる。
【００６３】
［第２実施形態］
図５は、本発明の第２実施形態の照光表示装置２００およびライトガイド２を示す外観図であり、図５（ａ）は平面図であり、図５（ｂ）は正面図である。図６は、照光表示装置２００およびライトガイド２を示す分解斜視図である。
【００６４】
第２実施形態の照光表示装置２００およびライトガイド２は、反射シート４１を配置していないことが第１実施形態の照光表示装置１００およびライトガイド１と異なっている。他の部材は、第１実施形態の照光表示装置１００およびライトガイド１と同じであり、同じ符号を用いて説明を省略する。
【００６５】
本実施形態のライトガイド２は、導光シート２０の他面２０ｂ側に漏れる光を反射する反射層４０として、基台７０の表面が利用されている。なお、基台７０は、保護用のレジスト層を備えていることが好ましい。このレジスト層を反射層４０としてもよく、レジスト層に反射率の高い白色系の材料を積層して反射層４０としてもよい。
【００６６】
本実施形態の照光表示装置２００およびライトガイド２は、導光シート２０のＸ１側の側面に入光部２０ｃが設けられており、光源６０に対向する入光部２０ｃから入った光が一面２０ａおよび他面２０ｂで反射しながら導光シート２０内を伝搬することで、照光領域１０ａを照光可能としている。ここで、照光領域１０ａは、入光部２０ｃに対向する対向側周縁部２０ｄに沿って帯状に位置する第２照光領域１０ｃと、第２照光領域１０ｃの境界位置から入光部２０ｃ側にかけて位置する第１照光領域１０ｂとに区分することができる。照光領域１０ａには、第１照光領域１０ｂおよび第２照光領域１０ｃを区分するように、複数の照光パターン２１および複数の補正パターン２３が形成されている。補正パターン２３は、照光パターン２１に相似した形状に設けられている。
【００６７】
第２実施形態の照光表示装置２００およびライトガイド２は、第１実施形態の照光表示装置１００およびライトガイド１と反射層４０の特性が異なる。反射層４０の特性に応じて、補正パターン２３の大きさを変えることによって、入光部２０ｃに対向する対向側周縁部２０ｄに沿った第２照光領域１０ｃの輝度を調整する。これにより、第１照光領域１０ｂと第２照光領域１０ｃとの輝度の差異が調整され、対向側周縁部２０ｄの近傍を隠すことなく照光領域１０ａとして使用することができる。第２照光領域１０ｃに設けられた複数の補正パターン２３は、第１照光領域１０ｂの輝度との差異を調整する機能を有している。言い換えれば、第２照光領域１０ｃは、第１照光領域１０ｂの輝度との差異を調整する輝度補正部２２を備える。輝度補正部２２は、上述のように、照光パターン２１に相似した形状に設けられた複数の補正パターン２３に限定されるものでなく、照光パターン２１と異なる形状で設けることも可能である。
【００６８】
以下、第２実施形態の照光表示装置２００およびライトガイド２としたことによる効果について説明する。
【００６９】
第２実施形態のライトガイド２は、光源６０からの光を透過可能で一面２０ａ側が照光領域１０ａとなるシート状に形成された導光シート２０と、導光シート２０の他面２０ｂ側に漏れる光を反射する反射層４０と、を有している。導光シート２０の側面に設けられた入光部２０ｃから入った光が伝搬することで照光領域１０ａを照光可能となっている。そして、一面２０ａ側から平面視した時に、照光領域１０ａは、導光シート２０を伝搬してきた光を出光させる複数の照光パターン２１を備えた第１照光領域１０ｂと、入光部２０ｃに対向する対向側周縁部２０ｄに沿って帯状に位置する第２照光領域１０ｃと、を有し、第２照光領域１０ｃは、第１照光領域１０ｂの輝度との差異を調整する輝度補正部２２を備える。
【００７０】
この構成によれば、導光シート２０の入光部２０ｃに対向する対向側周縁部２０ｄに沿って帯状に位置する第２照光領域１０ｃは輝度補正部２２を備えて、輝度補正部２２によって第１照光領域１０ｂと第２照光領域１０ｃとの輝度の差異が調整される。これにより、導光シート２０は、入光部２０ｃに対向する対向側周縁部２０ｄの近傍を隠すことなく照光領域１０ａとして使用することができる。導光シート２０の入光部２０ｃに対向する対向側周縁部２０ｄの近傍まで照光領域１０ａとすることによって、スペース効率が良く、小型化できる。
【００７１】
また、第１照光領域１０ｂの照光パターン２１は、入光部２０ｃ側から第２照光領域１０ｃ側に向かうにつれて徐々に大きくなる形状を備え、第２照光領域１０ｃの輝度補正部２２は、照光パターン２１に相似した形状に設けられた複数の補正パターン２３からなる。そして、補正パターン２３は、第２照光領域１０ｃの近傍に位置する照光パターン２１の最も大きい形状のものより小さい形状を備える。
【００７２】
この構成によれば、輝度補正部２２を第１照光領域１０ｂの照光パターン２１の形状より小さい相似形状の補正パターン２３とすることにより、第２照光領域１０ｃを出光する光が減るので、第２照光領域１０ｃの輝度が強くなり過ぎないように調整することができる。また、輝度補正部２２を第１照光領域１０ｂの照光パターン２１と一括して形成できるので、第２照光領域１０ｃを容易に設けることができる。
【００７３】
また、補正パターン２３は、第２照光領域１０ｃと第１照光領域１０ｂとの境界付近において、第１照光領域１０ｂ側から対向側周縁部２０ｄ側に向かうにつれて徐々に小さくなる形状を備える。
【００７４】
この構成によれば、補正パターン２３の形状が徐々に変化するので、第１照光領域１０ｂと第２照光領域１０ｃとの境界が視認されにくくなる。
【００７５】
また、照光パターン２１は導光シート２０の一面２０ａ側に配置され、他面２０ｂ側に向かって窪んだ凹形状を有する。
【００７６】
この構成によれば、導光シート２０を伝搬してきた光を効率的に出光させることができる。また、導光シート２０を容易に形成することができる。
【００７７】
また、第２実施形態のライトガイド２は、導光シート２０の他面２０ｂ側に、導光シート２０を固定するための支持層３０を有し、支持層３０が、少なくとも対向側周縁部２０ｄに沿って配置されているとともに、第２照光領域１０ｃと平面視で重なっていることを特徴とする。
【００７８】
この構成によれば、輝度を不均一にする原因のひとつである支持層３０と平面視で重なるように第２照光領域１０ｃが設けられているので、対向側周縁部２０ｄに沿って支持層３０を配置したことに起因する第１照光領域１０ｂの輝度との差異を輝度補正部２２によって調整することができる。
【００７９】
また、第２実施形態のライトガイド２は、支持層３０が、照光領域１０ａを照光する色調に応じて着色されていてもよい。
【００８０】
この構成によれば、光らせる光の色に合わせて支持層３０の色を変えることによって、第１照光領域１０ｂとの色調の差異を低減することができる。
【００８１】
また、第２実施形態の照光表示装置１００は、ライトガイド２と、入光部２０ｃに光を入射可能とするように配置された光源６０と、を備える。
【００８２】
この構成によれば、第１照光領域１０ｂと対向側周縁部２０ｄに沿った第２照光領域１０ｃとの輝度との差異を調整し対向側周縁部２０ｄまで照光領域１０ａとするライトガイド２を用いることによって、スペース効率が良く、小型化できる。
【００８３】
本発明は上記の実施形態に限定されるものではなく、要旨を逸脱しない範囲で種々変更して実施することが可能である。例えば次のように変形して実施することができ、これらも本発明の技術的範囲に属する。
【００８４】
（１）本実施形態において、支持層３０は両面接着テープであるとしたが、印刷等により塗布された糊材であってもよい。
【００８５】
（２）本実施形態において、照光パターン２１は、他面２０ｂ側に向かって窪んだ凹形状を有し、照光領域１０ａの第１照光領域１０ｂに設けられているとしたが、凹形状に限らず、凸形状を有するものであってもよい。同様に、輝度補正部２２は、凹形状に限らず、凸形状を有するものであってもよい。
【００８６】
（３）本実施形態において、複数の照光パターン２１は、導光シート２０の一面２０ａ側に配置されているとしたが、他面２０ｂ側に配置されるように変更してもよい。
【符号の説明】
【００８７】
１      ライトガイド
２      ライトガイド
１０ａ  照光領域
１０ｂ  第１照光領域
１０ｃ  第２照光領域
２０    導光シート
２０ａ  一面
２０ｂ  他面
２０ｃ  入光部
２０ｄ  対向側周縁部
２１    照光パターン
２２    輝度補正部
２３    補正パターン
３０    支持層
３０ａ  開口部
４０    反射層
４１    反射シート
６０    光源
６１    発光部
７０    基台
１００  照光表示装置
２００  照光表示装置
【図１】
0006521252.tif 000002
【図２】
0006521252.tif 000003
【図３】
0006521252.tif 000004
【図４】
0006521252.tif 000005
【図５】
0006521252.tif 000006
【図６】
0006521252.tif 000007
【図７】
0006521252.tif 000008
【図８】
0006521252.tif 000009